(57)【要約】【課題】連結板を要することなく、縦フレームと横フレームを低廉に連結することができ、連結施工も容易で、トップライトに使用した場合でも排水路における水の流れもスムーズな枠部材の連結構造およびそれを備えたトップライトを提供する。【解決手段】本発明の枠部材の連結構造１は、板材Ｐを面方向に連接するための枠部材の連結構造であって、縦フレーム２と横フレーム３のうち、いずれか一方の端部に延出部４が設けられ、延出部４は、縦フレーム２と横フレーム３のうち、いずれか他方に設けられた載置面５上に載置され取り付けられている。【選択図】図１
2020037800.tif 000002
【特許請求の範囲】
【請求項１】
板材を面方向に連接するための枠部材の連結構造であって、縦フレームと横フレームのうち、いずれか一方の端部に延出部が設けられ、該延出部は、前記縦フレームと前記横フレームのうち、いずれか他方に設けられた載置面上に載置して取り付けられていることを特徴とする枠部材の連結構造。
【請求項２】
前記載置面上にはスライディングパッドが配され、前記延出部には延出方向に沿って長孔が設けられている請求項１に記載の枠部材の連結構造。
【請求項３】
前記請求項１または２に記載の枠部材の連結構造を備えていることを特徴とするトップライト。
【発明の詳細な説明】
【技術分野】
【０００１】
本発明は、外装材としてガラス板、合成樹脂板等の板材を使用した屋根面や壁面を構成するに際して、板材を面方向に連接するための枠部材の連結構造およびそれを備えたトップライトに関するものである。
【背景技術】
【０００２】
従来、例えばトップライトを構成する採光板の枠部材の連結構造として、図９または図１０に示した枠部材の連結構造８０が使用されている。
【０００３】
この枠部材の連結構造８０は、横フレーム８１と縦フレーム８２の連結部において、図１０に示すように、横フレーム８１の端部からステンレス製連結板８３が延出するように構成されており、図９に示すように、このステンレス製連結板８３を縦フレーム８２の排水路８４面上に載置した後、ポップナット８５を埋め込むことで、横フレーム８１と縦フレーム８２とが連結されていた。
【０００４】
しかし、上記枠部材の連結構造８０では、横フレーム８１と縦フレーム８２との連結状態をステンレス製連結板８３で保持しているため、ステンレス製連結板８３には強度が求められ、相応な長さと肉厚を有するステンレス製連結板８３を必要とした。また、そのようなステンレス製連結板８３は取扱いに難があり連結施工も煩雑となり手間を要するためコスト高の要因にもなっていた。さらに、トップライトに使用した場合、肉厚なステンレス製連結板８３やポップナット８５で排水路８４における水の流れが堰き止められ逆流することもあった。
【発明の概要】
【発明が解決しようとする課題】
【０００５】
そこで、本発明の課題は、連結板を要することなく、縦フレームと横フレームを低廉に連結することができ、連結施工も容易で、トップライトに使用した場合でも排水路における水の流れもスムーズな枠部材の連結構造およびそれを備えたトップライトを提供することにある。
【課題を解決するための手段】
【０００６】
上記課題を解決するものは、板材を面方向に連接するための枠部材の連結構造であって、縦フレームと横フレームのうち、いずれか一方の端部に延出部が設けられ、該延出部は、前記縦フレームと前記横フレームのうち、いずれか他方に設けられた載置面上に載置して取り付けられていることを特徴とする枠部材の連結構造である（請求項１）。
【０００７】
前記載置面上にはスライディングパッドが配され、前記延出部には延出方向に沿って長孔が設けられていることが好ましい（請求項２）。
【０００８】
また、上記課題を解決するものは、前記請求項１または２に記載の枠部材の連結構造を備えていることを特徴とするトップライトである（請求項３）。
【発明の効果】
【０００９】
請求項１に記載した枠部材の連結構造によれば、連結板を要することなく、縦フレームと横フレームを低廉に連結することができ、連結施工も容易で、トップライトに使用した場合でも排水路における水の流れもスムーズな枠部材の連結構造となる。
請求項２に記載した枠部材の連結構造によれば、縦フレームと横フレームの連結部における熱伸び摩擦音の発生を抑止することができる。
請求項３に記載したトップライトによれば、連結板を要することなく、縦フレームと横フレームを低廉に連結することができ、連結施工も容易で、排水路における水の流れもスムーズなトップライトとなる。
【図面の簡単な説明】
【００１０】
【図１】本発明の枠部材の連結構造の一実施例を説明するための部分平面図である。
【図２】図１のＡ−Ａ線断面図である。
【図３】図１のＢ−Ｂ線断面図である。
【図４】図１に示した枠部材の連結構造において、横フレームのうち連結板を代替する役割を果たす部分の縦断面図である。
【図５】図１に示した枠部材の連結構造において、載置面上に配されるスライディングパッドの平面図である。
【図６】図１に示した枠部材の連結構造において、縦フレームと横フレームが分離した状態を説明するための部分平面図である。
【図７】図１に示した枠部材の連結構造を備えたトップライトを説明するための縦断面図である。
【図８】図７の右側面図である。
【図９】従来の枠部材の連結構造を説明するための部分平面図である。
【図１０】図９に示した枠部材の連結構造において、縦フレームと横フレームが分離した状態を説明するための部分平面図である。
【発明を実施するための形態】
【００１１】
本発明では、板材Ｐを面方向に連接するための枠部材の連結構造１であって、縦フレーム２と横フレーム３のうち、いずれか一方の端部に延出部４を設け、延出部４を、縦フレーム２と横フレーム３のうち、いずれか他方に設けられた載置面５上に載置して取り付けることで、縦フレーム２と横フレーム２とを連結して連結強度を保持する連結板が不要で低廉かつ連結施工も容易に行うことができ、トップライト５０に使用した場合でも排水路における水の流れもスムーズな枠部材の連結構造１およびそれを備えたトップライト５０を実現した。
【実施例１】
【００１２】
本発明の枠部材の連結構造を図１ないし図６に示した一実施例を用いて説明する。
この実施例の枠部材の連結構造１は、板材Ｐを面方向に連接するための枠部材の連結構造であって、縦フレーム２と横フレーム３のうち、いずれか一方の端部に延出部４を設け、延出部４を、縦フレーム２と横フレーム３のうち、いずれか他方に設けられた載置面５上に載置して取り付けることで、縦フレーム２と横フレーム３とを連結したものである。以下、各構成について順次詳述する。
【００１３】
この実施例の枠部材の連結構造１は、例えば倉庫、工場、体育館など大型建物の屋根や、商店街のアーケードなど多くの公共施設の屋根構造として、屋根に設けた採光空間から自然光を屋内に取り入れるために透明、半透明などの板材Ｐ（採光板）を設置してなるトップライトにおいて、板材（採光板）Ｐを面方向に連接するための枠部材の連結構造である。
【００１４】
枠部材の連結構造１は、図１ないし図３に示すように、縦フレーム２と横フレーム３を有しており、縦フレーム２と横フレーム３のうち、いずれか一方の端部に延出部４が設けられている。この実施例の枠部材の連結構造１では、図１に示すように、横フレーム３の端部に延出部４が一体に設けられている。
【００１５】
縦フレーム２と横フレーム３は、屋根に形成した方形状の採光空間に板材Ｐ（採光板）を設置して自然光を取り入れる採光屋根装置（トップライト）において、板材（採光板）Ｐの縦横の形状に合わせて順次縦横に組み合わされ格子状に連結されて、板材（採光板）Ｐを連接する枠部材のフレームである。
【００１６】
この実施例の縦フレーム２および横フレーム３は、アルミ押出成形により同一断面で長尺に形成された押出型材にて形成されている。また、この実施例の縦フレーム２と横フレーム３は、直交して交叉しているが、本発明の枠部材の連結構造は、これに限定されるものではなく、縦フレームと横フレームの全体または一部が斜め方向で交叉しているものも本発明の範疇に包含される。
【００１７】
縦フレーム２は、図２に示すように、最下部の両側に外側立ち上り部６ａ，６ｂを有し、内底面７、外側立ち上り部６ａ，６ｂおよび内側立ち上り部８ａ，８ｂで区画される空間が結露受け用溝部９として機能すると共に、外側立ち上り部６ａ，６ｂの上面に横フレーム３の底部３ａが載置される。
【００１８】
縦フレーム２の上部両側にはそれぞれ、図１、図２、図６または図７に示すように、板材Ｐを載置する際に板材受けゴムＳを取り付けるための板材受けゴム取付部１０が長手方向に沿って形成されている。また、縦フレーム２の上部中央には、アタッチ材フレーム３０を固定するためのアタッチ材フレーム固定部１１が長手方向に沿って形成されている。そして、板材受けゴム取付部１０とアタッチ材フレーム固定部１１との間には縦フレーム排水路１２ａ，１２ｂが長手方向に沿ってそれぞれ形成されている。
【００１９】
横フレーム３は、図３に示すように、下部の両側に外側立ち上り部１３ａ，１３ｂを有し、内底面１４、外側立ち上り部１３ａ，１３ｂおよび内側立ち上り部１６ａ，１６ｂで区画される空間が結露受け用流路１７として機能するように構成されている。
【００２０】
横フレーム３の上部両側にはそれぞれ、図３または図８に示すように、板材Ｐを載置する際に、板材受けゴムＳを取り付けるための板材受けゴム取付部１８が長手方向に沿って形成されている。また、横フレーム３の上部中央には、耐火補強連結材やアタッチ材フレーム４０を固定するためのアタッチ材フレーム固定部１９が長手方向に沿って形成されている。そして、板材受けゴム取付部１８とアタッチ材フレーム固定部１９との間には横フレーム排水路２０ａ，２０ｂが長手方向に沿ってそれぞれ形成されている。
【００２１】
横フレーム３の端部に一体に設けられた延出部４は、図４に示した縦断面を有しており、この延出部４がステンレス製連結板の代替として、縦フレーム２と横フレーム３の連結状態を保持する役割を果たすように構成されている。すなわち、延出部４は横フレーム排水路２０ａ，２０ｂを形成する凹部と、板材受けゴム取付部１８とアタッチ材フレーム固定部１９とからなる立体構造により強度を保持して、縦フレーム２と横フレーム３の連結状態を保持する役割を果たすように構成されている。
【００２２】
そして、延出部４は、縦フレーム２と横フレーム３のうち、いずれか他方（この実施例では縦フレーム２）に設けられた載置面５上に載置して取り付けられることで、縦フレーム２と横フレーム３が連結されるように構成されている。
【００２３】
具体的には、縦フレーム２の載置面５は、図６に示すように、縦フレーム２の上部両側にそれぞれ設けられた板材受けゴム取付部１０を、横フレーム３の幅分切り欠いた部位付近に形成されており、この載置面５上に、図５に示したスライディングパッド２１が載置され、その上に、延出部４の外底面が載置され取り付けられることによって、縦フレーム２と横フレーム３が連結されるように構成されている。
【００２４】
より具体的には、縦フレーム２と横フレーム３は、図５または図６に示すように、延出部４が、横フレーム３の長手方向に沿って設けられた２つの長孔２２ａ，２２ｂを有しており、縦フレーム２が載置面５にそれぞれ２つの貫通孔１５ａ，１５ｂを有しており、さらに、スライディングパッド２１に貫通する２つの貫通孔２３ａ，２３ｂが設けられ、図１または図６に示すように、それらの孔（長孔２２ａ，２２ｂ、貫通孔１５ａ，１５ｂおよび貫通孔２３ａ，２３ｂ）をボルト２４ａ，２４ｂおよびナット２５ａ，２５ｂにより締結することで、縦フレーム２に横フレーム３の延出部４が取り付けられ、縦フレーム２と横フレーム３が連結されるように構成されている。
【００２５】
本発明では、縦フレーム２と横フレーム３を上記のように連結することで、連結板を要することなく、縦フレームと横フレームを低廉に連結することができ、連結施工も容易で、トップライトに使用した場合でも排水路における水の流れもスムーズな枠部材の連結構造が構成される。
【００２６】
また、延出部４は、スライディングパッド２１の上面に載置されると共に、延出部４に設けられた長孔２２ａ，２２ｂ内において摺動可能に構成されているため、縦フレーム２と横フレーム３の連結部における熱伸び摩擦音の発生が抑止される。
【００２７】
つぎに、本発明のトップライトについて、図７または図８に示した一実施例を用いて説明する。
この実施例のトップライト５０は、板材を面方向に連接するための枠部材の連結構造であって、縦フレーム２と横フレーム３のうち、いずれか一方の端部に延出部４を設け、延出部４が、縦フレーム２と横フレーム３のうち、いずれか他方に設けられた載置面５上に載置され取り付けられた枠部材の連結構造１を備えていることを特徴とするトップライト５０である。以下、トップライト５０について説明するが、枠部材の連結構造１については前述した通りであり、同一構成部分については同一符号を付し説明を省略する。
【００２８】
トップライト５０において、図７に示すように、縦フレーム２の板材受けゴム取付部１０の上部には、板材受けゴムＳが装着されており、板材受けゴムＳの上面には板材（採光板）Ｐが載置されている。また、縦フレーム２の上部中央に設けられたアタッチ材フレーム固定部１１には、断熱ライナーＤを介してアタッチ材フレーム３０がボルトＢにて固定されている。
【００２９】
アタッチ材フレーム３０の上部両側端にはそれぞれ係止爪部３１が設けられており、他方、目板カバーフレーム３２の下面中央には係止爪部３１と嵌合する雄爪部３３が設けられている。そして、板材（採光板）Ｐの上面に硬質バッカーＲを介して目板カバーフレーム３２が載置され、目板カバーフレーム３２の雄爪部３３とアタッチ材フレーム３０の係止爪部３１とを嵌合させ、さらに、硬質バッカーＲの両側に雨漏り防止用シーリングＧが施され板材（採光板）Ｐが張設されている。
【００３０】
他方、図８に示すように、横フレーム３の板材受けゴム取付部１８の上部には、板材受けゴムＳが装着されており、板材受けゴムＳの上面には板材（採光板）Ｐが載置されている。また、横フレーム３の上部中央に設けられたアタッチ材フレーム固定部１９には、断熱ライナーＤを介してアタッチ材フレーム４０がボルトＢにて固定されている。
【００３１】
アタッチ材フレーム４０の上部両側端にはそれぞれ係止爪部４１が設けられており、他方、目板カバーフレーム４２の下面中央には係止爪部４１と嵌合する雄爪部４３が設けられている。そして、板材（採光板）Ｐの上面に硬質バッカーＲを介して目板カバーフレーム４２が載置され、目板カバーフレーム４２の雄爪部４３とアタッチ材フレーム４０の係止爪部４１とを嵌合させ、さらに、硬質バッカーＲの両側に雨漏り防止用シーリングＧが施され板材（採光板）Ｐが張設されている。
【００３２】
板材（採光板）Ｐは、透明で強度性を有した網入りガラス板や合わせガラス板または合成樹脂板、あるいは中空ポリカーボネート板などを使用して形成してあり、通常は一枚の採光板、網入りガラス板を使用して屋根葺きが行われる。この採光板は、用途に応じて一重またはガラス板と中空ポリカーボネート板などを合わせて二重にして使用することも可能である。
【００３３】
なお、アタッチ材フレーム３０、目板カバーフレーム３２、アタッチ材フレーム４０および目板カバーフレーム４２は、いずれもアルミ押出成形により同一断面で長尺に形成された押出型材にて形成されている。
【００３４】
上記のように、本発明のトップライト５０は、板材Ｐを面方向に連接するための枠部材の連結構造１であって、縦フレーム２と横フレーム３のうち、いずれか一方の端部に延出部４を設け、延出部４を、縦フレーム２と横フレーム３のうち、いずれか他方に設けられた載置面５上に載置して取り付けた枠部材の連結構造１を備えているため、縦フレーム２と横フレーム２とを連結して連結強度を保持する連結板が不要で低廉かつ連結施工も容易に行うことができ、排水路における水の流れもスムーズなトップライトが構成される。
【符号の説明】
【００３５】
１                  枠部材の連結構造
２                  縦フレーム
３                  横フレーム
４                  延出部
５                  載置面
６ａ，６ｂ          外側立ち上り部
７                  内底面
８ａ，８ｂ          内側立ち上り部
９                  結露受け用溝部
１０                板材受けゴム取付部
１１                アタッチ材フレーム固定部
１２ａ，１２ｂ      縦フレーム排水路
１３ａ，１３ｂ      外側立ち上り部
１４                内底面
１５ａ，１５ｂ      貫通孔
１６ａ，１６ｂ      内側立ち上り部
１７                結露受け用流路
１８                板材受けゴム取付部
１９                アタッチ材フレーム固定部
２０ａ，２０ｂ      横フレーム排水路
２１                スライディングパッド
２２ａ，２２ｂ      長孔
２３ａ，２３ｂ      貫通孔
２４ａ，２４ｂ      ボルト
２５ａ，２５ｂ      ナット
３０                アタッチ材フレーム
３１                係止爪部
３２                目板カバーフレーム
３３                雄爪部
４０                アタッチ材フレーム
４１                係止爪部
４２                目板カバーフレーム
４３                雄爪部
５０                トップライト
Ｓ                  板材受けゴム
Ｐ                  板材（採光板）
Ｄ                  断熱ライナー
Ｂ                  ボルト
Ｒ                  硬質バッカー
Ｇ                  雨漏り防止用シーリング
【図１】
2020037800.tif 000003
【図２】
2020037800.tif 000004
【図３】
2020037800.tif 000005
【図４】
2020037800.tif 000006
【図５】
2020037800.tif 000007
【図６】
2020037800.tif 000008
【図７】
2020037800.tif 000009
【図８】
2020037800.tif 000010
【図９】
2020037800.tif 000011
【図１０】
2020037800.tif 000012